(57)【要約】【課題】挟み込む書類の量が多い場合でも、書類がクリップ金具から不意に外れて床等に脱落するのを防止することができるレバーファイルを提供する。【解決手段】本考案に係るレバーファイル１は、ファイル表紙２に対して書類ｐを挟み込んで綴じるレバー式のクリップ金具３が取り付けられるとともに、このクリップ金具３の取り付け面と同じ面内の少なくとも２隅に平面視略Ｌ字形をした書類脱落防止用の位置規制片４が固定されている。【選択図】　図１
0003099692.tif 000002
【実用新案登録請求の範囲】
【請求項１】
ファイル表紙に書類を挟み込んで綴じるレバー式のクリップ金具が取り付けられているレバーファイルにおいて、
前記ファイル表紙には、前記クリップ金具の取り付け面と同じ面内の少なくとも２隅に平面視略Ｌ字形をした書類脱落防止用の位置規制片が固定されていることを特徴とするレバーファイル。
【請求項２】
前記クリップ金具によって綴じられる書類の厚さに応じて前記位置規制片に対して着脱される積層用位置規制片を備えることを特徴とする請求項１記載のイージーファイル。
【考案の詳細な説明】
【０００１】
【考案の属する技術分野】
本考案は、書類を整理、保管するためのレバー式のクリップ金具を備えたレバーファイルに関する。
【０００２】
【従来の技術】
一般に、書類を整理、保管するためにファイルが使用されている。従来のファイルには、書類に２つのパンチ穴をあけた後、このパンチ穴をファイルに設けた差込綴じ具に差し込んで綴じるフラットファイルや、袋状の透明シートに書類を差し込んで保管するクリアファイルや、ファイル表紙に取り付けられたレバー式のクリップ金具に書類を挟み込んで綴じるレバーファイル（イージーファイルやＺファイルなどとも言う）など、各種のものが提供されている。また、これらの各種ファイルは、通常、整理や保管の必要な書類の大きさ（Ａ４サイズ、Ｂ５サイズ等）に適合する寸法に予め形成されている。
【０００３】
【考案が解決しようとする課題】
ところで、上記のフラットファイルは、書類が差込綴じ具に差し込んだ状態で綴じられているので、ファイルを持ち運びする際に書類が不意に脱落するおそれは少ないが、書類を差込綴じ具に差し込むためには、書類にパンチ穴をあける必要があるので、書類を傷めることになり、また、書類をファイルから出し入れするのにも手間がかかる。
【０００４】
クリアファイルは、透明シートに書類を差し込んで保存するので、書類を傷めることはなく、また、ファイルを持ち運びする際に書類が不意に脱落するなどの不具合は生じないが、フラットファイルと同様に、書類をファイルから出し入れするのに手間がかかる。
【０００５】
一方、レバーファイルは、書類をクリップ金具で挟み込んで保持するので、書類を傷めることもなく、また、クリップ金具のレバーを開閉するだけで書類をファイルから簡単に出し入れできるなどの利点がある。
【０００６】
ところが、このようなレバーファイルは、クリップ金具にクリップ力を与えるバネ力が一定であるために、挟み込む書類の量が多くなると、クリップ金具のクリップ力が不足しがちになり、ファイルを持ち運びする際に書類がクリップ金具から不意に外れて床や路上に脱落し、書類を汚すなどの不具合を生じる。
【０００７】
本考案は、上記の課題を解決するためになされたもので、挟み込む書類の量が多い場合でも、書類がクリップ金具から不意に外れて床等に脱落するのを防止することができるレバーファイルを提供することを目的とする。
【０００８】
【課題を解決するための手段】
上記の目的を達成するために、本考案は、ファイル表紙に書類を挟み込んで綴じるレバー式のクリップ金具が取り付けられているレバーファイルにおいて、次の構成を採用している。
【０００９】
すなわち、請求項１記載の考案に係るレバーファイルは、前記ファイル表紙に対して、前記クリップ金具の取り付け面と同じ面内の少なくとも２隅に平面視略Ｌ字形をした書類脱落防止用の位置規制片が固定されていることを特徴としている。
【００１０】
これにより、クリップ金具によって挟み込むべき書類の量が多い場合でも、書類は位置規制片によってファイル表紙上の所定位置に位置決めされるので、ファイルを持ち運び等する際に、書類が挟込綴じ具から外れるのが規制される。このため、書類が不意に床等に脱落するのを防止することができる。
【００１１】
また、請求項２記載の考案に係るイージーファイルは、請求項１記載の考案の構成において、前記クリップ金具によって綴じられる書類の厚さに応じて前記位置規制片に対して着脱される積層用位置規制片を備えることを特徴としている。
【００１２】
これにより、クリップ金具によって挟み込むべき書類の量が多くなれば、これに応じて位置規制片に対して積層用位置規制片を装着して書類の位置規制を行うことができるため、書類がクリップ金具から外れるのをさらに一層確実に防止することができる。
【００１３】
【考案の実施の形態】
図１は、本考案の実施の形態におけるレバーファイルの斜視図、図２は同レバーファイルの平面図、図３はファイル表紙に位置規制片を取り付けた状態を拡大して示す斜視図である。
【００１４】
この実施の形態におけるレバーファイル１は、紙あるいはプラスチックでできたファイル表紙２を有し、このファイル表紙２の内面側の中央折り部２ａに近接した位置に、書類ｐを挟み込んで綴じるレバー式のクリップ金具３が取り付けられている。
【００１５】
このクリップ金具３自体は周知のものであって、ベース３ａ、レバー３ｂ、このレバー３ｂと一体に連結された挟圧部材３ｃ、およびコイルばね３ｄを備えている。そして、レバー３ｂは、ベース３ａから突設された支軸３ｅに回動自在に取り付けられるとともに、ベース３ａに掛止される構成になっており、また、コイルばね３ｄは支軸３ｅに巻回されて、その一端側がレバー３ｂに、他端側が挟圧部材３ｃにそれぞれ係止されている。
【００１６】
さらに、この実施の形態のレバーファイル１には、書類脱落防止用の２つの位置規制片４が接着剤によって固定されている。これらの位置規制片４は、平面視Ｌ字形をしたプラスチック製のもので、クリップ金具３によって綴じられる書類ｐの大きさ（Ａ４サイズ、Ｂ５サイズ等）に適合させて、書類ｐの隅部を係止する位置に設けられている。すなわち、ここでは、ファイル表紙２のクリップ金具３の取り付け面と同じ面内であって、クリップ金具３の取り付け位置から離れた側端部側の上下２隅の部分に取り付けられている。
【００１７】
この構成のレバーファイル１において、クリップ金具３のベース３ａと挟圧部材３ｃとの間に書類ｐを挟み込み、レバー３ｂをコイルばね３ｄの力に抗して回動してベース３ａに掛止することで、書類ｐがクリップ金具３で綴じられる。
【００１８】
この場合、書類ｐの上下２つの隅部は位置規制片４によって係止されるので、クリップ金具３に挟み込むべき書類ｐの量が多い場合でも、書類ｐは位置規制片４によってファイル表紙２上の所定位置に位置決めされる。このため、レバーファイル１を持ち運びなどする際に、書類ｐがクリップ金具３から不意に外れるのが規制されるので、書類ｐが床等に脱落するのを防止することができる。
【００１９】
上記の実施の形態に対して、次のような変形例や応用例を考えることができる。
（１）上記の実施の形態では、ファイル表紙２のクリップ金具３の取り付け面と同じ面内であって、クリップ金具３の取り付け位置から離れた側端部側の上下２隅の箇所に位置規制片４を固定しているが、図４に示すように、ファイル表紙２のクリップ金具３の取り付け面において、その４隅に位置規制片４を設けたり、あるいは、図５に示すように、クリップ金具３の取り付け面の３隅に位置規制片４を設けたり、さらには図６に示すように、クリップ金具３の取り付け箇所に近接した上下２隅に位置規制片４を設けたりすることができる。要するに、クリップ金具３で挟み込まれる書類ｐの位置ずれを防止するのに有効な箇所に位置規制片４を適宜配置固定することができる。
【００２０】
（２）図７に示すように、クリップ金具３によって綴じられる書類ｐの厚さに応じて、位置規制片４に対して着脱される積層用位置規制片５を設けることもできる。すなわち、この積層用位置規制片５は、位置規制片４と略同じ材質、形状を有し、その底部に差し込み用の突起５ａが形成されている。また、これに応じて、位置規制片４には上記の突起５ａが嵌入される凹部４ａが設けられている。
【００２１】
これにより、クリップ金具３で綴じられる書類ｐの量が多くなれば、これに対応して位置規制片４に対して積層用位置規制片５を積層装着して書類ｐの位置規制を行うことができる。このため、書類ｐがクリップ金具３から外れるのをさらに一層確実に防止することができる。
【００２２】
（３）また、上記の実施の形態では、位置規制片４は、プラスチック製のもので、これをファイル表紙２に接着固定している。しかし、これに限らず、例えば図８に示すように、位置規制片４を金属製のものとし、これをリベット６等でファイル表紙２に固定する構成とすることも可能である。このようにすれば、位置規制片３を一層確実かつ強固にファイル表紙２に取り付けることができる。
【００２３】
（４）その他の点においても上記の実施の形態の構成に限定されるものではなく、考案の要旨の範囲内において種々の応用や変形を加えることが可能である。
【００２４】
【考案の効果】
本考案に係るレバーファイルは次の効果が得られる。
【００２５】
請求項１記載に係る考案によれば、ファイル表紙には、クリップ金具の取り付け面と同じ面内の少なくとも２隅に位置規制片を固定しているので、クリップ金具によって挟み込むべき書類の量が多い場合でも、書類は位置規制片によってファイル表紙上の所定位置に位置決めされる。このため、書類がクリップ金具から不意に外れるのが規制されるので、書類が床等に脱落するのを防止することができる。
【００２６】
請求項２記載の考案によれば、請求項１記載の考案の効果に加えて、クリップ金具によって挟み込むべき書類の量が多くなれば、その書類の厚さに応じて位置規制片に対して積層用位置規制片を積層装着して書類の位置規制を行うことができるため、書類がクリップ金具から外れるのをさらに一層確実に防止することができる。
【図面の簡単な説明】
【図１】本考案の実施の形態におけるレバーファイルの斜視図である。
【図２】同レバーファイルの平面図である。
【図３】ファイル表紙に位置規制片を取り付けた状態を拡大して示す斜視図である。
【図４】ファイル表紙への位置規制片の取り付け位置の変形例を示す平面図である。
【図５】ファイル表紙への位置規制片の取り付け位置の変形例を示す平面図である。
【図６】ファイル表紙への位置規制片の取り付け位置の変形例を示す平面図である。
【図７】位置規制片に対して積層用位置規制片を積層装着する場合の分解斜視図である。
【図８】ファイル表紙に金属製の位置規制片をリベットで固定した状態を示す図で、同図（ａ）は平面図、同図（ｂ）は断面図である。
【符号の説明】
１　　レバーファイル
２　　ファイル表紙
３　　クリップ金具
４　　位置規制片
５　　積層用位置規制片
ｐ　　書類
【図１】
0003099692.tif 000003
【図２】
0003099692.tif 000004
【図３】
0003099692.tif 000005
【図４】
0003099692.tif 000006
【図５】
0003099692.tif 000007
【図６】
0003099692.tif 000008
【図７】
0003099692.tif 000009
【図８】
0003099692.tif 000010